(57)【要約】【課題】分離パッドを使用した分離方式の給紙装置、これを用いた複写機等の画像形成装置において発生し得る問題である分離音を抑制することを可能とする。【解決手段】給紙トレイ１の裏側（給紙トレイ１を挟んで分離パッド３の裏側）に補強板金６を取り付けることにより、給紙トレイ１の共振周波数をずらすことができ、結果分離音を抑制することができる。さらに、補強板金６のネジ締結箇所を選択可能とすることにより、補強板金６よる補強効果を調節することができ、分離音抑制の余裕度を増加させることができる。また、補強板金６のサイズも選択可能な構成にすることにより、分離音発生頻度に合わせた補強板金６のサイズに変更可能になる。【選択図】図４
2010030758.tif 000002
【特許請求の範囲】
【請求項１】
給紙トレイから用紙を給紙する給紙コロと、該給紙コロで送り出す用紙を分離する分離パッドを有する給紙装置において、
前記分離パッドまたはその保持部材、保持部位の前記用紙と接しない裏側に、板金等の固有振動数を変動させ得る固有振動数変動部材を付加し、該固有振動数変動部材により給紙装置全体あるいは少なくとも前記給紙コロと分離パッドのなす給紙系の固有振動数を増大させて給紙時のビビリ音の発生を抑止あるいは低減可能としてなることを特徴とする給紙装置。
【請求項２】
請求項１の給紙装置において、
前記固有振動数変動部材は分離パッドを設置する部材の裏側にネジで固定するものであることを特徴とする給紙装置。
【請求項３】
請求項１または２の給紙装置において、
前記補強板金の固定のネジ締結部を複数箇所設け、締結箇所を選択可能としてなることを特徴とする給紙装置。
【請求項４】
請求項１ないし３のいずれかの給紙装置において、
前記固有振動数変動部材の固有振動数を該部材のサイズ変更により変更することを特徴とする給紙装置。
【請求項５】
請求項１ないし４のいずれかの給紙装置を用いたことを特徴とする画像形成装置。
【請求項６】
請求項５の画像形成装置とは複写機、プリンタ、ファクシミリ装置、これらの複合機のいずれかであることを特徴とする画像形成装置。
【発明の詳細な説明】
【技術分野】
【０００１】
本発明は、給紙装置およびこれを備えた画像形成装置に関する。
【背景技術】
【０００２】
図１は電子写真方式の画像形成装置の一例である複写機の全体図である。このような複写機の全体構成、動作は周知であるが、簡単に説明する。図１に示す複写機１００は、胴内排紙型の複写機であり、上側から読み取り部３０、画像形成部５０、給紙装置７０の順に配置されている。画像形成部５０と読み取り部３０との間の空間は、排紙収納部４０として形成され、画像形成された用紙が排紙収納されるようになっている。
【０００３】
画像形成部５０には、ドラム状をした感光体９０の周囲に、感光体９０の表面に帯電処理を行う帯電装置１１、画像情報を感光体９０表面にレーザ光で照射する露光装置１３、感光体９０の表面に露光されて形成された静電潜像を可視化する現像装置１５、感光体９０上で現像されたトナー像を用紙に転写する転写装置１７、転写後、感光体９０表面に残留するトナーを除去回収するクリーニング装置１９等がそれぞれ配置されている。感光体９０と帯電装置１１と現像装置１５とクリーニング装置１９とは、１つの現像ユニット２１を形成している。
【０００４】
また、画像形成部５０には、上述したものの他に、トナー像を転写された用紙上のトナーを定着処理する定着ユニット２３がある。この定着ユニット２３は、現像ユニット２１の上方に配置され、定着ローラ２４と排紙装置２５とを有している。定着ユニット２３を通過した用紙は、排紙装置２５により排紙収納部４０に排紙収納される。
【０００５】
読み取り部３０は、原稿照明用光源とミラーとからなる読み取り走行体２７が、コンタクトガラス２９上に載置される原稿に対し、往復移動して原稿の読み取り走査を行う。この読み取り走行体２７により走査された画像情報は、レンズ３１の後方（図中右方）に配置されているＣＣＤ（電荷結合素子画像センサ）３３に画像信号として読み込まれる。この読み込まれた画像信号は、デジタル化され画像処理される。
【０００６】
画像処理された信号に基づいて、露光装置１３内のＬＤ（レーザダイオード）の発光による光信号は、ポリゴンミラーやレンズを介して感光体９０に至り、感光体９０の表面に静電潜像が形成される。
【０００７】
給紙装置７０は、本体に対して脱着可能に設けられた給紙トレイ３５と本体に設けられた給紙ローラ３９とで構成されており、給紙方向と直交する方向（図１の紙面垂直方向）で複写機１００本体から脱着可能となっている。また、給紙トレイ３５は、底板３７と、押し上げばね４１と、分離パッド（分離部材）４７と、加圧ばね４９とを有している。
【０００８】
ところで上述のような、分離パッドを使用する分離方式を採用した画像形成装置においては、常に生じ得る問題としては分離音の問題がある。すなわち、給紙コロで送り出す用紙にその下面（あるいは裏面）から摺接して摩擦力により分離するため、給紙コロや分離パッドと用紙との擦過音が生じる。このような音は、オフィス内などでは非常に問題となる騒音、雑音となる。
【０００９】
このような音が発生しないようにするための解決手段としては、従来から種々提案されているが、例えば錘を貼り付けて給紙ローラと分離パッドが振動しないようにしたり、給紙ローラと分離パッドだけでなく、これらを保持、支持する部材などの強度を強化するなどの対策が実施されてきた。
【００１０】
しかし、分離音の発生は、用紙、環境（周囲環境、設置状態等々）などにより発生条件が異なるため、調整機構を設け、悪条件下においても最適化できる構成にしておくことが望ましいとされているが、本願発明者が知るところでは、分離音に対する対応自由度に優れ、コスト的にも優れたものは存在していなかった。
【００１１】
【特許文献１】特開２００３−００２４７２号公報
【特許文献２】特許第４０１１４９３号公報
【特許文献３】特開平０５−２３８５７４号公報
【発明の開示】
【発明が解決しようとする課題】
【００１２】
本発明は、上述した従来の問題点にかんがみ、分離パッドを使用した分離方式の給紙装置、これを用いた複写機等の画像形成装置において発生し得る問題である分離音を抑制することを可能とすることを目的とする。
【課題を解決するための手段】
【００１３】
本発明の請求項１に係る給紙装置は、給紙トレイから用紙を給紙する給紙コロと、該給紙コロで送り出す用紙を分離する分離パッドを有する給紙装置において、前記分離パッドまたはその保持部材、保持部位の前記用紙と接しない裏側に、板金等の固有振動数を変動させ得る固有振動数変動部材を付加し、該固有振動数変動部材により給紙装置全体あるいは少なくとも前記給紙コロと分離パッドのなす給紙系の固有振動数を増大させて給紙時のビビリ音の発生を抑止あるいは低減可能としてなることを特徴とする。
【００１４】
請求項２に係るものは、請求項１の給紙装置において、前記固有振動数変動部材は分離パッドを設置する部材の裏側にネジで固定するものであることを特徴とする。
【００１５】
請求項３に係るものは、請求項１または２の給紙装置において、前記補強板金の固定のネジ締結部を複数箇所設け、締結箇所を選択可能としてなることを特徴とする。
【００１６】
請求項４に係るものは、請求項１ないし３のいずれかの給紙装置において、前記固有振動数変動部材の固有振動数を該部材のサイズ変更により変更することを特徴とする。
【００１７】
請求項５に係る画像形成装置は、請求項１ないし４のいずれかの給紙装置を用いたことを特徴とする。
【００１８】
請求項６に係る画像形成装置が、複写機、プリンタ、ファクシミリ装置、これらの複合機のいずれかであることを特徴とする。
【発明を実施するための最良の形態】
【００１９】
本発明は、板金等の固有振動数を変動させ得る固有振動数変動部材を付加することで、トレイ補強の効果に調整機構を設けることにより、分離音に対する対応自由度を向上させるものである。以下本発明を実施するための最良の形態を、図に示す実施例を参照して説明する。
【実施例１】
【００２０】
図２は画像形成装置内に設置された給紙装置の拡大平面図である。この給紙装置１０は、給紙トレイ１、給紙コロ２、フリクションパッド３、サイドフェンス４、エンドフェンス５により構成されている。
【００２１】
エンドフェンス５から給紙コロ３の間の空間に通紙用の用紙をセットし、この用紙を給紙コロ２で搬送し、多数枚の用紙を同時に搬送しないための分離はフリクションパッド３で行う。この際、用紙の搬送垂直方向保持はサイドフェンス４で、搬送方向保持はエンドフェンス５で行う。
【００２２】
分離パッド３による分離は、分離パッド３上のスティックスリップに起因する分離音が発生するリスクがあり、そこで共振周波数をずらすために、図４のようにトレイ裏に補強板金６を固定する。
【００２３】
トレイ側には、図３のように位置決め用ボス７が４つ、ネジ穴８が５つが設けられている。通常は位置決めボス７は両端２箇所を使用、ネジ穴８は両端２箇所と、真中の３箇所を使用しているが、分離音対応余裕度を向上させたい場合は図３のように全５箇所をネジ締結する。
【００２４】
また、分離音発生頻度の低い環境・用紙に対応する仕向け地に対しては、コストを優先し、位置決めボス７は内側２箇所、ネジ穴８は内側２箇所と真中の３箇所を使用して、サイズの小さい板金で給紙トレイ１の補強を行う。
【００２５】
すなわち、給紙トレイ１の裏側（給紙トレイ１を挟んで分離パッド３の裏側）に補強板金６を取り付けることにより、給紙トレイ１の共振周波数をずらすことができ、結果分離音を抑制することができる。さらに、補強板金６のネジ締結箇所を選択可能とすることにより、補強板金６よる補強効果を調節することができ、分離音抑制の余裕度を増加させることができる。また、補強板金６のサイズも選択可能な構成にすることにより、分離音発生頻度に合わせた補強板金６のサイズに変更可能になる。これにより、全体のコストを低減することができる。すなわち、分離音が発生しやすい環境、用紙仕様の仕向地用には大サイズの板金、逆の場合は小サイズの板金という風に使い分ければ全体としてコストを低減できる。
【００２６】
以上のような分離音対策を実施した給紙トレイ１を複写機等の画像形成装置のトレイとして装着すれば、画像形成装置としても分離音を抑制できる。また分離周辺部補強にリブを追加する例などと比較して大きな補強効果を得ることができる。また、補強板金６を給紙トレイ１の裏側の未使用スペースに配置しているので、スペースを無駄にすることなく前記のような補強効果を得ることができる。また、補強板金６のネジ止め箇所の数、場所を変更することで補強効果調整することもでき、分離音に関する用紙対応性を向上させることが可能となる。分離音が発生しやすい用紙を使用する仕向地、顧客に対しては、ネジ数を増やして個別的に対応する点は上述の通りである。また、補強板金６のサイズが選択可能として、異なる大きさの板金が付くよう、給紙トレイ１に位置決め・固定ネジ穴を設けることにより、補強板金６のサイズ変更で補強効果を調整できる。
【図面の簡単な説明】
【００２７】
【図１】電子写真方式の画像形成装置の一例である複写機の全体図
【図２】給紙トレイ表側の全体図
【図３】給紙トレイ裏側の補強板金取付部の図
【図４】補強板金取付・ネジ締結状態の斜視図
【図５】補強板金サイズの変更を示す斜視図
【符号の説明】
【００２８】
１：給紙トレイ
２：給紙コロ
３：フリクションパッド
４：サイドフェンス
５：エンドフェンス
６：補強板金
７：位置決めボス
８：ネジ穴
９：締結ネジ
１０：給紙装置
【図１】
2010030758.tif 000003
【図２】
2010030758.tif 000004
【図３】
2010030758.tif 000005
【図４】
2010030758.tif 000006
【図５】
2010030758.tif 000007